(57)【特許請求の範囲】
【請求項１】
液体収容の内容器と、内容器を囲んだ外装ケースと、外装ケース上端に結合し、中央に開口を有する水切部材とを備えたポット本体を設け、ポット本体の上端面にベローズポンプ内蔵の蓋体を開閉自在に装着し、ポット本体内に垂下する揚水パイプと、ポット本体前方より外部へ導かれる吐出パイプと、中栓本体と中栓本体下面を覆う中栓用下蓋とからなる中栓を設け、中栓内に揚水パイプ、吐出パイプと連通する液体通路並びにベローズポンプと内容器内とを連通する空気通路とを設け、ベローズポンプの押圧にて中栓を介し吐出パイプ先端より内容器内の液体を吐出する空気圧利用のポットに於いて、上記中栓本体の上端より上方に拡がった濾斗状の受部を設け、受部の上端面を水切部材の最上端面に近く、受部の上端口径を内容器口元径よりも大きく設け、この受部の中央上面に中栓内の空気通路と連通する開口を穿設し、中栓本体内前方に液体通路を形成する上部内筒を設ける一方、中栓用下蓋の前方に上部内筒と嵌合する下部内筒を設け、中栓用下蓋の空気通路を形成する側壁を下部内筒の下部外周に沿うように傾斜させると共に中栓用下蓋の下壁に中栓内の空気通路と連通し、かつ下部内筒の周りを囲むように透孔を設け、中栓本体下部内周に中栓用下蓋を嵌合したことを特徴とする空気圧利用のポットの中栓。
【発明の詳細な説明】
【０００１】
【発明の属する技術分野】
本発明は、空気圧を利用して吐出するポットの中栓に関するものである。
【０００２】
【従来の技術】
従来、空気圧利用の中栓を備えたポットでは、内容器を有するポット本体の上端面にベローズポンプ内蔵の蓋体を開閉自在に装着し、ポット本体内に垂下する揚水パイプとポット本体前方より外部へ導かれる吐出パイプと中栓本体と、中栓本体下面を覆う中栓用下蓋とからなる中栓とを設け、中栓本体内に揚水パイプ、、揚水パイプと連通する液体流出用通路並びに、ベローズポンプ内容器内と連通する空気通路とを設け、ベローズポンプの押圧にて中栓を介し吐出パイプ先端より内容器内の液体を吐出するようにしていた。
【０００３】
【発明が解決しようとする課題】
しかしながら、近年この空気圧利用のポットの蓋体のみを取り外した状態でコーヒー製造装置の注出部に載置して、製造された熱いコーヒーを直接ポット内に収納することが知られている。
ところが、この熱いコーヒーをポット内に収納するには中栓が邪魔となってスムーズにポット内に注入されないために、中栓を取り外して注入することとなり、中栓の取り扱いが邪魔となると共に容器内に注入される熱いコーヒーが飛び散り温度低下をきたすという問題点があった。
【０００４】
そこで、本発明はこのような従来の空気圧利用のポットの中栓が有していた課題を解決したものであって、ポット本体に中栓を装着したままスムーズにコーヒーをポット本体内に注入して、温度の低下を防ぎ、かつ中栓構造を簡単としてコストの削減をはかると共に容易に組立てできることを目的とした空気圧利用のポットの中栓を提供するにある。
【０００５】
【課題を解決する手段】
上記目的を達成するために、液体収容の内容器と、内容器を囲んだ外装ケースと、外装ケース上端に結合し、中央に開口を有する水切部材とを備えたポット本体を設け、ポット本体の上端面にベローズポンプ内蔵の蓋体を開閉自在に装着し、ポット本体内に垂下する揚水パイプと、ポット本体前方より外部へ導かれる吐出パイプと、中栓本体と中栓本体下面を覆う中栓用下蓋とからなる中栓を設け、中栓内に揚水パイプ、吐出パイプと連通する液体通路並びにベローズポンプと内容器内とを連通する空気通路とを設け、ベローズポンプの押圧にて中栓を介し吐出パイプ先端より内容器内の液体を吐出する空気圧利用のポットに於いて、上記中栓本体の上端より上方に拡がった濾斗状の受部を設け、受部の上端面を水切部材の最上端面に近く、受部の上端口径を内容器口元径よりも大きく設け、この受部の中央上面に中栓内の空気通路と連通する開口を穿設し、中栓本体内前方に液体通路を形成する上部内筒を設ける一方、中栓用下蓋の前方に上部内筒と嵌合する下部内筒を設け、中栓用下蓋の空気通路を形成する側壁を下部内筒の下部外周に沿うように傾斜させると共に中栓用下蓋の下壁に中栓内の空気通路と連通し、かつ下部内筒の周りを囲むように透孔を設け、中栓本体下部内周に中栓用下蓋を嵌合する構成としたものである。
【０００６】
【発明の実施の形態】
以下、本発明の実施例について図に基づき説明する。
図中、図１は本発明実施例の空気圧利用のポットの縦断面図、図２は本考案実施例の中栓の一部縦断面図、図３は本発明実施例のポットをコーヒー製造装置に載置した概略図である。
ポット１は内容器２と、内容器２を囲んだ外装ケース３と、外装ケースの上端に無理嵌め結合した水切部材４と、外装ケース３の下端に結合した底部材５とを備えたポット本体１ａと、水切部材４の中央開口より着脱自在に装着する中栓６と、水切部材４の上端面にベローズポンプ内蔵の開閉自在に装着する蓋体７とから構成されている。
【０００７】
内容器２はガラス又はステンレス等の金属性材料による一重瓶、又は真空二重瓶である。
外装ケース３は薄い鉄板を円筒状にはぜ折りし、上端を内側へ折り曲げ、下部にネジ輪を内嵌めし、下端を内側へカーリングしている。
水切部材４は図１に示すように、中央を開口した略すりばち状の受け皿部と、この受け皿部の突端より下方に垂下した環状嵌合部と、受け皿部前方に突出した嘴部とからなっている。
【０００８】
水切部材４の受け皿部の中央開口は内容器２口元のシールパッキンを介して内容器２内と連通している。
水切部材４の環状嵌合部の外周壁には外装ケース３上端の折り曲げ部分を嵌め込む環状溝を設けている。
水切部材４の嘴部は受け皿部の前面を窪ませて受け皿部の中央開口と連通している。
【０００９】
この嘴部は先端に後述の吐出パイプを挿通する開口を設けており、左，右側壁内側に後述の蓋体７のロック装置のロック爪を係止するロック爪用係止片を設けている。底部材５は外装ケース３下端内側のネジ輪に螺着するリング状の底板と、底板８の中央開口に螺着し、内容器２を押上げている締上げ部材９とからなっている。
【００１０】
中栓６は中栓本体１０と、中栓本体１０下面を覆う中栓用下蓋１１と、中栓本体１０内の液体通路Ａを形成する上部内筒１４と、内容器２内の液体を上部内筒１４内に圧送する揚水パイプ１２と、上部内筒１４内の液体をポット１前方外部へ吐出する吐出パイプ１３と、上部内筒１４下端に連結し中栓用下蓋１１にて押し上げられている下部内筒１５とからなっている。２０はポット１転倒時、揚水パイプ１２からの液体を吐出パイプ１３に吐出するのを阻止する止水弁である。
【００１１】
中栓本体１０は図２に示すように、上面に漏斗状の受部１６を一体形成し、この受部１６の中央上面に中栓本体１０内の空気通路Ｂと連通する開口１７を穿設し、中栓本体１０の下部前方に液体通路Ａを形成する上部内筒１４を設け、下部後方に空気通路Ｂ用の外筒２１を設け、液体通路口の上面より前方に向けて液体通路口と連通した接続パイプ２２を一体成型している。下部内筒１５は上端を上部内筒１４と連通して液体通路Ａを形成し、下部に揚水パイプ１２の上部を嵌め込んで、中栓用下蓋１１のリブ２３にて上方に押圧されている。受部は、図１に示すように、上端面を水切部材の最上端面に近く、上端口径を内容器口元径よりも大きく設けている。
【００１２】
中栓用下蓋１１は図２に示すように、上部広口、下部細口とした筒状に形成されており、中栓本体１０の外筒２１に連結する上部広口から下部細口にかけて、外筒２１と共に空気通路Ｂを形成する傾斜の側壁１８としている。この中栓用下蓋１１の下部細口を透孔１９として、下部内筒１５と連通する揚水パイプ１２の周りを囲むように形成している。この透孔１９は揚水パイプ１２の外径よりも大きく形成している。２３は中栓用下蓋１１内に一体成型されて、下部内筒１５を押し上げているリブである。この下部内筒１５は中栓用下蓋１１と別体に成型しているが、中栓用下蓋１１と一体的に成形してもよい。
【００１３】
この中栓６の組立ては中栓本体１０の上部内筒１４下端に下部内筒１５の上端を当接させた状態で、中栓用下蓋１１の上端を中栓本体１０の下端に嵌合するだけで、下部内筒１５の下端が中栓用下蓋１１のリブ２３にて押し上げられて、上部内筒１４と下部内筒１５とが密に当接して、液体通路Ａを形成すると共に中栓本体１０の外筒２１と中栓用下蓋１１の側壁１８とにて空気通路Ｂを形成してできあがる。
【００１４】
揚水パイプ１２は下端を内容器２内底部に垂設し、上端を中栓用下蓋１１の透孔１９から挿入して、下部内筒１５に内嵌めされている。
吐出パイプ１３は後端を中栓本体１０の接続パイプ２２先端に嵌め込み、先端を水切部材４の嘴部の内に挿通して、ポット１前方外部下方へ向けている。
【００１５】
蓋体７はヒンジ部材にて揺動自在に枢支され、ロック装置のロック爪にて水切部材４に開閉自在に装着しており、ベローズポンプ２４と、このベローズポンプ２４を押上げている第１スプリング２５と、ベローズポンプ２４の上部開口を開閉するプッシュ弁２６と、このプッシュ弁２６を押圧し、ベローズポンプ２４内の空気を内容器２内に圧送する押圧操作機構２７とを内蔵し、下面を下板２８にて覆い、下板２８の中央開口に中栓本体１０の受部１６の開口１７と連通するゴムブッシュ２９を嵌め込んでいる。
【００１６】
このポット１は、図４に示すように、コーヒー製造装置３０の注出部に載置して、製造された熱いコーヒーを直接ポット内に収納することができる。即ち、このコーヒー製造装置３０は特に業務用として用いられるものであって、コーヒー製造装置３０の本体３０ａ上部の給水タンク３１と、本体３０ａ内に配置したヒータ３２を有する湯沸かしタンク３３と、給水タンク３１と湯沸かしタンク３３とを連結する給水パイプと、コーヒー粉、紅茶葉等の原料をセットしたすりばち状のバスケット３４と、湯沸かしタンク３３内の沸騰水をバスケット３４上方へ導くコーヒー用吐出パイプ３５とからなっている。
【００１７】
バスケット３４下面に蓋体７を開放した状態でポット本体１ａを載置し、バスケット３４底面より抽出された抽出液をポット本体１ａの中栓６の受部１６に受けて、内容器２内に貯蔵する。このとき、蓋体７はポット本体１ａに着けたまま大きく後方へ開いた状態で保持してもよく、またポット本体１ａから取り外した状態としてもよい。３６は台座部である。
【００１８】
このコーヒー製造装置３０からの熱い液体は、この熱い液体を受けたポット本体１ａの中栓６により、受部１６の開口１７から中栓６内の空気通路Ｂを通り、中栓用下蓋１１の傾斜した側壁１８の内壁に沿って、中栓用下蓋１１の透孔１９へと流れ、この透孔１９内に垂下した揚水パイプ１２の外周面に沿い内容器２内に垂下して、外気温度に触れることもなく内容器２内に貯蔵される。  このようにして、熱い液体をポット本体１ａ内に注入するときには、中栓６内の空気通路Ｂを注入用液体通路とし、本体１ａ内の液体を注出するときには、ベローズポンプ２４内の圧縮空気を内容器２内に圧送する空気通路Ｂとして使用する。そして、コーヒー製造装置に載置したポットに対しては、コーヒー製造装置のバスケット下端と中栓の受部とが極めて接近し、しかも濾斗状の受部中央により近づけられて、バスケット下端から抽出された抽出液を水切部材上面にこぼすことなく、スムーズに内容器内へ導くことができ、ポット本体外部へ流れ出すこともない。
【００１９】
以上本発明の代表的と思われる実施例について説明したが、本発明は必ずしもこれらの実施例構造のみに限定されるものではなく、本発明にいう前記の構成要件を備え、かつ、本発明にいう目的を達成し、以下にいう効果を有する範囲内において適宜改変して実施することができるものである。
【００２０】
【発明の効果】
以上の説明から既に明らかなように、本発明にいうところの空気圧利用のポットの中栓は、液体収容の内容器と、内容器を囲んだ外装ケースと、外装ケース上端に結合し、中央に開口を有する水切部材とを備えたポット本体を設け、ポット本体の上端面にベローズポンプ内蔵の蓋体を開閉自在に装着し、ポット本体内に垂下する揚水パイプと、ポット本体前方より外部へ導かれる吐出パイプと、中栓本体と中栓本体下面を覆う中栓用下蓋とからなる中栓を設け、中栓内に揚水パイプ、吐出パイプと連通する液体通路並びにベローズポンプと内容器内とを連通する空気通路とを設け、ベローズポンプの押圧にて中栓を介し吐出パイプ先端より内容器内の液体を吐出する空気圧利用のポットに於いて、上記中栓本体の上端より上方に拡がった濾斗状の受部を設け、受部の上端面を水切部材の最上端面に近く、受部の上端口径を内容器口元径よりも大きく設け、この受部の中央上面に中栓内の空気通路と連通する開口を穿設し、中栓本体内前方に液体通路を形成する上部内筒を設ける一方、中栓用下蓋の前方に上部内筒と嵌合する下部内筒を設け、中栓用下蓋の空気通路を形成する側壁を下部内筒の下部外周に沿うように傾斜させると共に中栓用下蓋の下壁に中栓内の空気通路と連通し、かつ下部内筒の周りを囲むように透孔を設け、中栓本体下部内周に中栓用下蓋を嵌合する構成としたものであるから、ポット本体に中栓を装着したままスムーズにコーヒーをポット本体内に注入して、温度の低下を防ぎ、かつ中栓構造を簡単としてコストの削減をはかると共に容易に組立てでき、コーヒー製造装置に載置したポットに対しては、コーヒー製造装置のバスケット下端と中栓の受部とが極めて接近し、しかも濾斗状の受部中央により近づけられて、バスケット下端から抽出された抽出液を水切部材上面にこぼすことなく、スムーズに内容器内へ導くことができ、ポット本体外部へ流れ出すこともないという顕著な効果を期待することが出来るに至ったのである。
【図面の簡単な説明】
【図１】本発明実施例の空気圧利用のポットの縦断面図。
【図２】本考案実施例の中栓の一部縦断面図。
【図３】本発明実施例のポットをコーヒー製造装置に載置した概略図。
【符号の説明】
１…ポット
１ａ…ポット本体
２…内容器
３…外装ケース
４…水切部材
５…底部材
６…中栓
７…蓋体
８…底板
９…締上げ部材
１０…中栓本体
１１…中栓用下蓋
１２…揚水パイプ
１３…吐出パイプ
１４…上部内筒
１５…下部内筒
１６…受部
１７…開口
１８…側壁
１９…透孔
２０…止水弁
２１…外筒
２２…接続パイプ
２３…リブ
２４…ベローズポンプ
２５…第１スプリング
２６…プッシュ弁
２７…押圧操作機構
２８…下板
２９…ゴムブッシュ
３０…コーヒー製造装置
３０ａ…コーヒー製造装置の本体
３１…給水タンク
３２…ヒータ
３３…湯沸かしタンク
３４…バスケット
３５…コーヒー用吐出パイプ
３６…台座部
Ａ…液体通路
Ｂ…空気通路
【図１】
0003678010.tif 000002
【図２】
0003678010.tif 000003
【図３】
0003678010.tif 000004